(57)【要約】【課題】電子機器に記憶されたデータを適切かつ容易に外部に抽出する。【解決手段】電子機器１０は、データ記憶部４３と該データ記憶部４３に通信可能に接続されたＣＰＵ４４と、データ記憶部４３に外部から接続可能に設けられた外部接続端子と、ＣＰＵ４４に外部から電圧を印加可能に設けられた電圧印加端子とを備える。ＣＰＵ４４は、電圧印加端子に所定電圧が印加された場合には外部接続端子を介した外部とデータ記憶部４３との通信を許可する。【選択図】図３
2012038254.tif 000002
【特許請求の範囲】
【請求項１】
データ記憶手段と該データ記憶手段に通信可能に接続された制御手段とを備える電子機器であって、
前記データ記憶手段に接続可能に設けられた外部接続部材と、
前記制御手段に電圧を印加可能に設けられた電圧印加部材とを備え、
前記制御手段は、前記電圧印加部材に所定電圧が印加された場合には前記外部接続部材を介した前記データ記憶手段との通信を許可することを特徴とする電子機器。
【請求項２】
前記制御手段は、前記電圧印加部材に前記所定電圧が印加された場合には前記制御手段から前記データ記憶手段への信号の送信を禁止することを特徴とする請求項１に記載の電子機器。
【請求項３】
電池を収容可能な電池収容部材と前記データ記憶手段および前記制御手段および前記外部接続部材および前記電圧印加部材とを具備するモジュールと、該モジュールを収容する筐体と、前記モジュールが収容された前記筐体の開口部を閉塞可能な蓋体とを備えることを特徴とする請求項１または請求項２に記載の電子機器。
【請求項４】
前記外部接続部材および前記電圧印加部材は、前記モジュールにおいて前記電池収容部材とは干渉しない位置に配置され、前記蓋体による前記開口部の閉塞が解除されて前記開口部が開放された状態で外部に露出可能であることを特徴とする請求項１から請求項３の何れか１つに記載の電子機器。
【請求項５】
前記外部接続部材および前記電圧印加部材は、前記電池収容部材に配置され、前記蓋体による前記開口部の閉塞が解除されて前記開口部が開放された状態かつ前記電池収容部材に前記電池が収容されていない状態で外部に露出可能であることを特徴とする請求項１から請求項３の何れか１つに記載の電子機器。
【請求項６】
前記モジュールは、前記制御手段に電力供給可能に設けられた電源供給部材を備え、
前記電源供給部材は、前記電池収容部材に配置され、前記蓋体による前記開口部の閉塞が解除されて前記開口部が開放された状態かつ前記電池収容部材に前記電池が収容されていない状態で外部に露出可能であることを特徴とする請求項５に記載の電子機器。
【請求項７】
データ記憶手段と該データ記憶手段に通信可能に接続された制御手段とを備える電子機器であって、
前記データ記憶手段および前記制御手段を具備するモジュールと、該モジュールを収容する筐体と、前記モジュールが収容された前記筐体の開口部を閉塞可能な蓋体とを備え、
前記データ記憶手段は、前記蓋体による前記開口部の閉塞が解除されて前記開口部が開放された状態で前記モジュールに対して着脱可能であることを特徴とする電子機器。
【請求項８】
前記データ記憶手段は、前記モジュールの端部に配置され、前記データ記憶手段の少なくとも一部が前記端部から前記モジュールの外部に露出していることを特徴とする請求項７に記載の電子機器。
【請求項９】
前記モジュールは、電池を収容可能な電池収容部材と、前記電池収容部材に収容された前記電池を保持する保持部材とを備え、
前記保持部材は、前記電池に加えて前記データ記憶手段を保持することを特徴とする請求項７または請求項８に記載の電子機器。
【請求項１０】
データ記憶手段と該データ記憶手段に通信可能に接続された制御手段とを備える電子機器から前記データ記憶手段に格納されたデータを外部に抽出する電子機器のデータ抽出方法であって、
前記データ記憶手段に対する外部からの接続を許可する許可状態を設定する第１ステップと、
前記第１ステップにより前記許可状態が設定された後に、前記外部から前記データ記憶手段に接続して、前記データ記憶手段に格納された前記データを前記外部に抽出する第２ステップとを含むことを特徴とする電子機器のデータ抽出方法。
【請求項１１】
前記第１ステップは、前記許可状態として、前記制御手段から前記データ記憶手段への信号の送信を禁止する状態を設定することを特徴とする請求項１０に記載の電子機器のデータ抽出方法。
【発明の詳細な説明】
【技術分野】
【０００１】
この発明は、電子機器および電子機器のデータ抽出方法に関する。
【背景技術】
【０００２】
従来、例えば複数の計数値のデータを表示部に表示可能として記憶部に記憶するストップウォッチ装置が知られている（例えば、特許文献１参照）。
【先行技術文献】
【特許文献】
【０００３】
【特許文献１】特開平７−１９８８７３号公報
【発明の概要】
【発明が解決しようとする課題】
【０００４】
ところで、上記従来技術に係るストップウォッチ装置においては、記憶部に記憶されたデータを適切かつ容易に外部に抽出することが望まれている。
【０００５】
本発明は上記事情に鑑みてなされたもので、内部に記憶されたデータを適切かつ容易に外部に抽出することが可能な電子機器および電子機器のデータ抽出方法を提供することを目的としている。
【課題を解決するための手段】
【０００６】
上記課題を解決して係る目的を達成するために、本発明の第１態様に係る電子機器は、データ記憶手段（例えば、実施の形態でのデータ記憶部４３）と該データ記憶手段に通信可能に接続された制御手段（例えば、実施の形態でのＣＰＵ４４）とを備える電子機器であって、前記データ記憶手段に接続可能に設けられた外部接続部材（例えば、実施の形態での外部接続端子４２ａ）と、前記制御手段に電圧を印加可能に設けられた電圧印加部材（例えば、実施の形態での電圧印加端子４２ｂ）とを備え、前記制御手段は、前記電圧印加部材に所定電圧が印加された場合には前記外部接続部材を介した前記データ記憶手段との通信を許可する。
【０００７】
さらに、本発明の第２態様に係る電子機器では、前記制御手段は、前記電圧印加部材に前記所定電圧が印加された場合には前記制御手段から前記データ記憶手段への信号の送信を禁止する。
【０００８】
さらに、本発明の第３態様に係る電子機器は、電池（例えば、実施の形態での電池３４ａ）を収容可能な電池収容部材（例えば、実施の形態での電池収容部材３２）と前記データ記憶手段および前記制御手段および前記外部接続部材および前記電圧印加部材とを具備するモジュール（例えば、実施の形態でのモジュール１１）と、該モジュールを収容する筐体（例えば、実施の形態での筐体１２）と、前記モジュールが収容された前記筐体の開口部（例えば、実施の形態での開口部１２ａ）を閉塞可能な蓋体（例えば、実施の形態での蓋体１３）とを備える。
【０００９】
さらに、本発明の第４態様に係る電子機器では、前記外部接続部材および前記電圧印加部材は、前記モジュールにおいて前記電池収容部材とは干渉しない位置に配置され、前記蓋体による前記開口部の閉塞が解除されて前記開口部が開放された状態で外部に露出可能である。
【００１０】
さらに、本発明の第５態様に係る電子機器では、前記外部接続部材および前記電圧印加部材は、前記電池収容部材に配置され、前記蓋体による前記開口部の閉塞が解除されて前記開口部が開放された状態かつ前記電池収容部材に前記電池が収容されていない状態で外部に露出可能である。
【００１１】
さらに、本発明の第６態様に係る電子機器では、前記モジュールは、前記制御手段に電力供給可能に設けられた電源供給部材（例えば、実施の形態での電源端子４２ｃ）を備え、前記電源供給部材は、前記電池収容部材に配置され、前記蓋体による前記開口部の閉塞が解除されて前記開口部が開放された状態かつ前記電池収容部材に前記電池が収容されていない状態で外部に露出可能である。
【００１２】
また、本発明の第７態様に係る電子機器は、データ記憶手段（例えば、実施の形態でのデータ記憶部４３）と該データ記憶手段に通信可能に接続された制御手段（例えば、実施の形態でのＣＰＵ４４）とを備える電子機器であって、前記データ記憶手段および前記制御手段を具備するモジュール（例えば、実施の形態でのモジュール１１）と、該モジュールを収容する筐体（例えば、実施の形態での筐体１２）と、前記モジュールが収容された前記筐体の開口部（例えば、実施の形態での開口部１２ａ）を閉塞可能な蓋体（例えば、実施の形態での蓋体１３）とを備え、前記データ記憶手段は、前記蓋体による前記開口部の閉塞が解除されて前記開口部が開放された状態で前記モジュールに対して着脱可能である。
【００１３】
さらに、本発明の第８態様に係る電子機器では、前記データ記憶手段は、前記モジュールの端部に配置され、前記データ記憶手段の少なくとも一部が前記端部から前記モジュールの外部に露出している。
【００１４】
さらに、本発明の第９態様に係る電子機器では、前記モジュールは、電池（例えば、実施の形態での電池３４ａ）を収容可能な電池収容部材（例えば、実施の形態での電池収容部材３２と、前記電池収容部材に収容された前記電池を保持する保持部材（例えば、実施の形態での保持部材３５）とを備え、前記保持部材は、前記電池に加えて前記データ記憶手段を保持する。
【００１５】
また、本発明の第１０態様に係る電子機器のデータ抽出方法は、データ記憶手段（例えば、実施の形態でのデータ記憶部４３）と該データ記憶手段に通信可能に接続された制御手段（例えば、実施の形態でのＣＰＵ４４）とを備える電子機器から前記データ記憶手段に格納されたデータを外部に抽出する電子機器のデータ抽出方法であって、前記データ記憶手段に対する外部からの接続を許可する許可状態を設定する第１ステップ（例えば、実施の形態でのステップＳ０３、ステップＳ１４）と、前記第１ステップにより前記許可状態が設定された後に、前記外部から前記データ記憶手段に接続して、前記データ記憶手段に格納された前記データを前記外部に抽出する第２ステップ（例えば、実施の形態でのステップＳ０５、ステップＳ１５）とを含む。
【００１６】
さらに、本発明の第１１態様に係る電子機器のデータ抽出方法では、前記第１ステップは、前記許可状態として、前記制御手段から前記データ記憶手段への信号の送信を禁止する状態を設定する。
【発明の効果】
【００１７】
本発明の第１態様に係る電子機器によれば、制御手段は、電圧印加部材に外部から所定電圧が印加された場合に、外部接続部材を介した外部とデータ記憶手段との通信を許可することによって、制御手段とデータ記憶手段との間の通信に加えて、外部接続部材に接続される適宜の外部機器とデータ記憶手段との間の通信にも、異常が生じることを防止することができる。
【００１８】
例えばデータ記憶手段と制御手段との間で通信が行なわれている通常状態において、電圧印加部材に外部から所定電圧が印加されると、制御手段は、データ記憶手段と外部機器との間で外部接続部材を介して通信が行なわれる状態であると認識して、外部接続部材を介した外部とデータ記憶手段との通信を許可する。そして、制御手段とデータ記憶手段との間の通常状態での通信と、外部接続部材を介した外部とデータ記憶手段との間の通信とが、干渉してしまうことを防止する。これにより、制御手段とデータ記憶手段との間の通信や制御手段によるデータ記憶手段の制御に異常が生じることを防止することができると共に、データ記憶手段に記憶されたデータを適切かつ容易に外部に抽出することができる。
【００１９】
しかも、外部接続部材を介したデータ記憶手段との通信の許可または許可の終了を切り替えるために操作者により操作される特別なスイッチなどを設ける必要無しに、制御手段による許可または許可の終了を切り替えることができ、電子機器が大型化してしまうことを防止することができる。
【００２０】
さらに、本発明の第２態様に係る電子機器によれば、制御手段は、電圧印加部材に所定電圧が印加された場合に制御手段からデータ記憶手段への信号の送信を禁止することによって、制御手段から出力される信号と外部から入力される信号とが干渉してしまうことを防止することができる。
これにより、制御手段によるデータ記憶手段の制御に加えて、外部接続部材に接続される適宜の外部機器によるデータ記憶手段の制御にも、異常が生じることを防止することができる。
【００２１】
さらに、本発明の第３態様に係る電子機器によれば、外部接続部材および電圧印加部材は、少なくとも蓋体による開口部の閉塞が解除されて開口部が開放された以後に適宜の外部機器が接続可能となる。
これにより、外部接続部材および電圧印加部材に不必要に適宜の外部機器が接続されてしまうことを防止することができる。
【００２２】
さらに、本発明の第４態様に係る電子機器によれば、外部接続部材および電圧印加部材は、蓋体が取り外されただけで適宜の外部機器が接続可能となり、データ記憶手段に記憶されたデータを容易に外部に抽出することができる。
【００２３】
さらに、本発明の第５態様に係る電子機器によれば、外部接続部材および電圧印加部材は、電池収容部材から電池が取り外された状態で適宜の外部機器が接続可能となる。
これにより、電池から電力が供給される制御手段の作動時（例えば、制御手段とデータ記憶手段との間の通信時など）に、データ記憶手段と外部機器との間で外部接続部材を介して不意な通信（つまり、制御手段により制御されていない通信であって、制御手段とデータ記憶手段との間の通信や制御手段によるデータ記憶手段の制御に異常を生じさせる虞がある通信）が行なわれてしまうことを防止することができる。
【００２４】
さらに、本発明の第６態様に係る電子機器によれば、電源供給部材および外部接続部材および電圧印加部材は、電池収容部材から電池が取り外された状態で適宜の外部機器が接続可能となる。
これにより、制御手段に対する電力供給および制御手段の起動を適宜の外部機器により制御することができ、外部接続部材に接続される適宜の外部機器とデータ記憶手段との間の通信を適切に行なうことができる。
【００２５】
また、本発明の第７態様に係る電子機器によれば、少なくとも蓋体による開口部の閉塞が解除されて開口部が開放された状態でモジュールからデータ記憶手段を取り外すことができる。
これにより、不必要にモジュールからデータ記憶手段が外れてしまうことを防止しつつ、データ記憶手段に記憶されたデータを適切かつ容易に外部に抽出することができる。
【００２６】
さらに、本発明の第８態様に係る電子機器によれば、モジュールに対してデータ記憶手段の着脱が容易になり、データ記憶手段に記憶されたデータを容易に外部に抽出することができる。
【００２７】
さらに、本発明の第９態様に係る電子機器によれば、保持部材による電池の保持が解除されると保持部材によるデータ記憶手段の保持も解除されることから、電池収容部材に電池が収容された状態、つまり電池から制御手段に電力が供給されている制御手段の作動時において、不意にモジュールからデータ記憶手段が外れてしまうことを防止することができる。
そして、電池収容部材から電池が取り外されて制御手段への電力供給が遮断された後（つまり、制御手段が停止した後）にデータ記憶手段がモジュールから外されることにより、データ記憶手段に記憶されたデータを適切に外部に抽出することができる。
【００２８】
また、本発明の第１０態様に係る電子機器のデータ抽出方法によれば、データ記憶手段に対する外部からの接続を許可する許可状態を設定した後に、外部からデータ記憶手段に接続して、データ記憶手段に格納されたデータを外部に抽出することから、制御手段とデータ記憶手段との間の通信や制御手段によるデータ記憶手段の制御に異常が生じることを防止することができると共に、データ記憶手段に記憶されたデータを適切かつ容易に外部に抽出することができる。
【００２９】
さらに、本発明の第１１態様に係る電子機器のデータ抽出方法によれば、許可状態として、制御手段からデータ記憶手段への信号の送信を禁止することによって、制御手段によるデータ記憶手段の制御に加えて、外部からのデータ記憶手段の制御にも、異常が生じることを防止することができる。
【図面の簡単な説明】
【００３０】
【図１】本発明の実施形態に係る電子機器の断面図である。
【図２】本発明の第１の実施形態に係る電子機器のモジュールの平面図である。
【図３】本発明の第１の実施形態に係る電子機器の構成図である。
【図４】本発明の第１の実施形態に係る電子機器のデータ抽出方法のフローチャートである。
【図５】本発明の第１の実施形態に係る電子機器のデータ抽出方法のフローチャートである。
【図６】本発明の第１の実施形態の変形例に係る電子機器のモジュールの平面図である。
【図７】本発明の第２の実施形態に係る電子機器のモジュールの平面図である。
【図８】本発明の第２の実施形態に係る電子機器の構成図である。
【図９】本発明の第２の実施形態の第１変形例に係る電子機器のモジュールの平面図である。
【図１０】本発明の第２の実施形態の第２変形例に係る電子機器のモジュールの平面図である。
【図１１】本発明の第１の実施形態に対する参考技術に係る電子機器の構成図である。
【図１２】本発明の第１の実施形態に対する参考技術に係る電子機器の構成図である。
【発明を実施するための形態】
【００３１】
以下、本発明の第１の実施形態に係る電子機器および電子機器のデータ抽出方法について添付図面を参照しながら説明する。
【００３２】
本実施の形態による電子機器１０は、例えば携帯型のデジタル式ストップウォッチなどの電子時計であって、図１に示すように、モジュール１１と、モジュール１１を収容する筐体１２と、モジュール１１が収容された筐体１２の開口部１２ａを閉塞可能な蓋体１３とを備えて構成されている。
【００３３】
なお、筐体１２は、例えば、液晶表示パネルからなる表示部２１と、表示部２１を保持する筒状のケース２２となどから構成され、この筐体１２には、さらに、表示部２１と後述するモジュール１１の回路基板３１とを電気的に接続する接続部材２３と、操作者により入力操作されるボタンなどからなる入力部２４（例えば、後述する図３での入力部２４）となどが設けられている。
また、蓋体１３の内面には、後述するモジュール１１のコイルばね３６によって回路基板３１に電気的に接続されてブザーとして機能する圧電素子（図示略）が装着されている。
【００３４】
モジュール１１は、例えば図１，２に示すように、回路基板３１と、例えばケース状の絶縁部材からなる電池収容部材３２と、例えばケース状の絶縁部材からなり、電池収容部材３２を保持する部材３３と、電池収容部材３２に収容されて回路基板３１に電力を供給可能な電池３４ａからなる電源部３４と、電池収容部材３２に収容された電池３４ａの表面に接触して電池３４ａを押圧するようにして保持する保持部材３５と、回路基板３１に接続されたコイルばね３６となどを備えて構成されている。
なお、電源部３４は、回路基板３１と電池３４ａの正極および負極とを接続するための正負の接続端子３４ｐ，３４ｎ（例えば、後述する図６での接続端子３４ｐ，３４ｎ）などを備えている。
【００３５】
回路基板３１には、例えば図３に示すような発振部４１と外部アクセス部４２とデータ記憶部４３とＣＰＵ（中央処理装置）４４となどが配置され、回路配線やボンディングワイヤなどによって所定の電気的な接続が形成されている。
【００３６】
発振部４１は、計時のための水晶振動子などから構成されている。
外部アクセス部４２は、例えば、データ記憶部４３に接続可能に設けられた外部接続端子４２ａと、ＣＰＵ４４に電圧を印加可能に設けられた電圧印加端子４２ｂと、ＣＰＵ４４に電力供給可能に設けられた電源端子４２ｃとなどからなる複数の端子を備えて構成されている。
【００３７】
そして、各端子４２ａ，４２ｂ，４２ｃなどからなる外部アクセス部４２の複数の端子は、例えば図２に示すように、モジュール１１の電池収容部材３２とは干渉しない位置、例えば部材３３に設けられた複数の貫通孔３３ａ，３３ｂ，…に臨む位置に配置されている。これにより、各端子４２ａ，４２ｂ，４２ｃなどからなる外部アクセス部４２の複数の端子は、蓋体１３による開口部１２ａの閉塞が解除されて開口部１２ａが開放された状態で、各貫通孔３３ａ，３３ｂ，…を介して外部に露出するように設定されている。
【００３８】
データ記憶部４３は、例えばＥＥＰＲＯＭ（E HYPERLINK "http://www.weblio.jp/content/Electronically+Erasable+and+Programmable+Read+Only+Memory" \o "Electronically Erasable and Programmable Read Only Memoryの意味" lectronically Erasable and Programmable Read Only Memory）などの不揮発性メモリであって、各種のデータ（例えば、ストップウォッチにより計測された時間のデータなど）を記憶している。
【００３９】
ＣＰＵ（中央処理装置）４４は、例えば、表示部２１および入力部２４と、電源部３４と、発振部４１と、外部アクセス部４２と、データ記憶部４３とが接続されている。
ＣＰＵ４４は電源部３４から電力が供給されており、また、例えば電源部３４からの電源供給が遮断されている場合などであっても、電源端子４２ｃを介して外部から電源供給可能とされている。
【００４０】
そして、ＣＰＵ４４は、表示部２１での各種の表示（例えば、データ記憶部４３に記憶されているデータの表示など）を制御する。
また、ＣＰＵ４４は、入力部２４に対する操作者の入力操作に応じた動作（例えば、ストップウォッチによる時間の計測など）を制御する。
また、ＣＰＵ４４は、データ記憶部４３に通信可能に接続され、所定の信号の送受信によって、データ記憶部４３に各種のデータを記憶させたり、データ記憶部４３に記憶されているデータを抽出するなどの各種の動作を制御する。
【００４１】
また、ＣＰＵ４４は、電圧印加端子４２ｂに適宜の外部機器（図示略）から所定電圧が印加された場合には、外部接続端子４２ａを介した外部機器とデータ記憶部４３との通信を許可する。
具体的には、ＣＰＵ４４は、例えばＣＰＵ４４からデータ記憶部４３への信号の送信を禁止することによって、外部機器とデータ記憶部４３との通信を許可する。
【００４２】
この実施の形態による電子機器１０は上記構成を備えており、次に、この電子機器１０のデータ記憶部４３から外部にデータを抽出する動作（つまり、電子機器のデータ抽出方法）について説明する。
【００４３】
先ず、以下には、電池収容部材３２に電池３４ａが収容された状態で外部にデータを抽出する動作（電池装着時のデータアクセス）について説明する。
例えば図４に示すステップＳ０１においては、電圧印加端子４２ｂに適宜の外部機器のプローブ（図示略）が接触して、電圧印加端子４２ｂに所定電圧が印加される。
次に、ステップＳ０２においては、ＣＰＵ４４が電圧印加端子４２ｂに印加されている所定電圧を認識する。
【００４４】
次に、ステップＳ０３においては、ＣＰＵ４４が、例えばＣＰＵ４４からデータ記憶部４３への信号の送信を禁止することによって、外部接続端子４２ａを介した外部機器とデータ記憶部４３との通信を許可して、外部接続端子４２ａを外部接続可能状態に設定する。
次に、ステップＳ０４においては、外部接続端子４２ａに適宜の外部機器のプローブが接触する。
次に、ステップＳ０５においては、外部機器が外部接続端子４２ａを介してデータ記憶部４３からデータを取得する。
【００４５】
次に、ステップＳ０６においては、各端子４２ａ，４２ｂと適宜の外部機器のプローブとの接触を解除する。
次に、ステップＳ０７においては、ＣＰＵ４４が電圧印加端子４２ｂの電位（例えば、ゼロ）を認識する。
次に、ステップＳ０８においては、ＣＰＵ４４が通常状態、つまりＣＰＵ４４からデータ記憶部４３への信号送信の禁止を解除する状態に復帰し、データアクセスを終了する。
【００４６】
次に、以下には、電池収容部材３２に電池３４ａが収容されていない状態で外部にデータを抽出する動作（電池非装着時のデータアクセス）について説明する。
例えば図５に示すステップＳ１１においては、外部接続端子４２ａと電圧印加端子４２ｂと電源端子４２ｃとに適宜の外部機器のプローブ（図示略）が接触して、電圧印加端子４２ｂに所定電圧が印加され、かつ、電源端子４２ｃを介してＣＰＵ４４に電力が供給される。
【００４７】
次に、ステップＳ１２においては、ＣＰＵ４４が起動し、所定の初期化の処理が実行される。
次に、ステップＳ１３においては、ＣＰＵ４４が電圧印加端子４２ｂに印加されている所定電圧を認識する。
【００４８】
次に、ステップＳ１４においては、ＣＰＵ４４が、例えばＣＰＵ４４からデータ記憶部４３への信号の送信を禁止することによって、外部接続端子４２ａを介した外部機器とデータ記憶部４３との通信を許可して、外部接続端子４２ａを外部接続可能状態に設定する。
次に、ステップＳ１５においては、外部機器が外部接続端子４２ａを介してデータ記憶部４３からデータを取得する。
【００４９】
次に、ステップＳ１６においては、各端子４２ａ，４２ｂ，４２ｃと適宜の外部機器のプローブとの接触を解除し、データアクセスを終了する。
【００５０】
上述したように、第１の実施形態による電子機器１０によれば、ＣＰＵ４４は、電圧印加端子４２ｂに所定電圧が印加された場合に外部接続端子４２ａを介した外部機器とデータ記憶部４３との通信を許可することによって、ＣＰＵ４４とデータ記憶部４３との間の通信に加えて、外部接続端子４２ａに接続される適宜の外部機器とデータ記憶部４３との間の通信にも、異常が生じることを防止することができる。
【００５１】
例えばデータ記憶部４３とＣＰＵ４４との間で通信が行なわれている通常状態において、電圧印加端子４２ｂに所定電圧が印加されると、ＣＰＵ４４は、データ記憶部４３と外部機器との間で外部接続端子４２ａを介して通信が行なわれる状態であると認識して、外部接続端子４２ａを介した外部とデータ記憶部４３との通信を許可する。そして、ＣＰＵ４４とデータ記憶部４３との間の通常状態での通信と、外部接続端子４２ａを介した外部とデータ記憶部４３との間の通信とが、干渉してしまうことを防止する。これにより、ＣＰＵ４４とデータ記憶部４３との間の通信やＣＰＵ４４によるデータ記憶部４３の制御に異常が生じることを防止することができると共に、データ記憶部４３に記憶されたデータを適切かつ容易に外部に抽出することができる。
【００５２】
しかも、外部接続端子４２ａを介した外部機器とデータ記憶部４３との通信の許可または許可の終了を切り替えるために操作者により操作される特別なスイッチなどを設ける必要無しに、ＣＰＵ４４による許可または許可の終了を切り替えることができ、電子機器１０が大型化してしまうことを防止することができる。
【００５３】
さらに、ＣＰＵ４４は、電圧印加端子４２ｂに所定電圧が印加された場合にＣＰＵ４４からデータ記憶部４３への信号の送信を禁止することによって、ＣＰＵ４４から出力される信号と適宜の外部機器から入力される信号とが干渉してしまうことを防止することができる。
これにより、ＣＰＵ４４によるデータ記憶部４３の制御に加えて、外部接続端子４２ａに接続される適宜の外部機器によるデータ記憶部４３の制御にも、異常が生じることを防止することができる。
【００５４】
さらに、外部接続端子４２ａおよび電圧印加端子４２ｂは、少なくとも蓋体１３による開口部１２ａの閉塞が解除されて開口部１２ａが開放された以後に適宜の外部機器が接続可能となる。
これにより、外部接続端子４２ａおよび電圧印加端子４２ｂに不必要に適宜の外部機器が接続されてしまうことを防止することができる。
【００５５】
さらに、外部接続端子４２ａおよび電圧印加端子４２ｂは、蓋体１３が取り外されただけで適宜の外部機器が接続可能となり、データ記憶部４３に記憶されたデータを容易に外部に抽出することができる。
【００５６】
また、第１の実施形態による電子機器のデータ抽出方法によれば、データ記憶部４３に対する外部からの接続を許可する許可状態を設定した後に、外部からデータ記憶部４３に接続して、データ記憶部４３に格納されたデータを外部に抽出することから、ＣＰＵ４４とデータ記憶部４３との間の通信やＣＰＵ４４によるデータ記憶部４３の制御に異常が生じることを防止することができると共に、データ記憶部４３に格納されたデータを適切かつ容易に外部に抽出することができる。
【００５７】
さらに、データ記憶部４３に対する外部からの接続が許可される状態として、ＣＰＵ４４からデータ記憶部４３への信号の送信を禁止することによって、ＣＰＵ４４によるデータ記憶部４３の制御に加えて、外部からのデータ記憶部４３の制御にも、異常が生じることを防止することができる。
【００５８】
なお、上述した第１の実施形態においては、外部アクセス部４２の複数の端子は、モジュール１１の電池収容部材３２とは干渉しない位置に配置されるとしたが、これに限定されず、例えば図６に示す変形例のように、外部アクセス部４２の複数の端子は、モジュール１１の電池収容部材３２内に配置されてもよい。
この場合、外部アクセス部４２の複数の端子は、電池収容部材３２に電池３４ａが収容されていると外部に露出せず、蓋体１３による開口部１２ａの閉塞が解除されて開口部１２ａが開放された状態かつ電池収容部材３２に電池３４ａが収容されていない状態で外部に露出する。
【００５９】
この第１変形例によれば、電池３４ａから電力が供給されるＣＰＵ４４の作動時（例えば、ＣＰＵ４４とデータ記憶部４３との間の通信時など）に、データ記憶部４３と外部機器との間で外部接続端子４２ａを介して不意な通信（つまり、ＣＰＵ４４により制御されていない通信であって、ＣＰＵ４４とデータ記憶部４３との間の通信やＣＰＵ４４によるデータ記憶部４３の制御に異常を生じさせる虞がある通信）が行なわれてしまうことを防止することができる。
【００６０】
さらに、ＣＰＵ４４に対する電力供給およびＣＰＵ４４の起動を、電源端子４２ｃを介して適宜の外部機器により制御することができ、外部接続端子４２ａに接続される適宜の外部機器とデータ記憶部４３との間の通信を適切に行なうことができる。
【００６１】
以下、本発明の第２の実施形態に係る電子機器について添付図面を参照しながら説明する。
なお、本実施の形態による電子機器１０は、上述した図１に示す第１の実施形態での電子機器１０と同様に、モジュール１１と、モジュール１１を収容する筐体１２と、モジュール１１が収容された筐体１２の開口部１２ａを閉塞可能な蓋体１３とを備えて構成されている。さらに、筐体１２には、表示部２１と回路基板３１とを電気的に接続する接続部材２３と、操作者により入力操作されるボタンなどからなる入力部２４（例えば、後述する図８での入力部２４）となどが設けられている。
【００６２】
この第２の実施形態による電子機器１０と上述した第１の実施形態での電子機器１０との間で異なる点はモジュール１１の構成であり、具体的には、第２の実施形態による電子機器１０では、外部アクセス部４２が省略されて、データ記憶部４３は、蓋体１３による開口部１２ａの閉塞が解除されて開口部１２ａが開放された状態でモジュール１１に対して着脱可能である。
【００６３】
第２の実施形態によるモジュール１１は、例えば図１，図７に示すように、回路基板３１と、例えばケース状の絶縁部材からなる電池収容部材３２と、例えばケース状の絶縁部材からなり、電池収容部材３２を保持する部材３３と、電池収容部材３２に収容されて回路基板３１に電力を供給可能な電池３４ａからなる電源部３４と、電池収容部材３２に収容された電池３４ａの表面に接触して電池３４ａを押圧するようにして保持する保持部材３５と、回路基板３１に接続されたコイルばね３６となどを備えて構成されている。
なお、電源部３４は、回路基板３１と電池３４ａの正極および負極とを接続するための正負の接続端子３４ｐ，３４ｎ（図示略）などを備えている。
そして、回路基板３１には、例えば図８に示すような発振部４１とデータ記憶部４３とＣＰＵ（中央処理装置）４４となどが配置され、回路配線やボンディングワイヤなどによって所定の電気的な接続が形成されている。
【００６４】
データ記憶部４３は、蓋体１３による開口部１２ａの閉塞が解除されて開口部１２ａが開放された状態でモジュール１１に対して着脱可能であり、例えばモジュール１１の電池収容部材３２とは干渉しない位置となる部材３３に設けられた凹部などからなる装着部３３Ａに着脱可能に装着されている。
【００６５】
この第２の実施形態による電子機器１０によれば、少なくとも、蓋体１３による開口部１２ａの閉塞が解除されて開口部１２ａが開放された状態でモジュール１１からデータ記憶部４３を取り外すことができる。
これにより、不必要にモジュール１１からデータ記憶部４３が外れてしまうことを防止しつつ、データ記憶部４３に記憶されたデータを適切かつ容易に外部に抽出することができる。
【００６６】
なお、上述した第２の実施形態においては、例えば図９に示す第１変形例のように、データ記憶部４３は、モジュール１１の端部に配置され、データ記憶部４３の少なくとも一部がモジュール１１の端部からモジュール１１の外部に露出していてもよい。
この第１変形例によれば、モジュール１１に対してデータ記憶部４３の着脱が容易になり、データ記憶部４３に記憶されたデータを容易に外部に抽出することができる。
【００６７】
なお、上述した第２の実施形態においては、例えば図１０に示す第２変形例のように、電池収容部材３２に収容された電池３４ａの表面に接触して電池３４ａを押圧するようにして保持する保持部材３５は、電池３４ａに加えてデータ記憶部４３を押圧するようにして保持してもよい。
この第２変形例によれば、保持部材３５による電池３４ａの保持が解除されると保持部材３５によるデータ記憶部４３の保持も解除されることから、電池収容部材３２に電池３４ａが収容された状態、つまり電池３４ａからＣＰＵ４４に電力が供給されているＣＰＵ４４の作動時において、モジュール１１からデータ記憶部４３が外れてしまうことを防止することができる。そして、電池収容部材３２から電池３４ａが取り外されてＣＰＵ４４への電力供給が遮断された後（つまり、ＣＰＵ４４が停止した後）にデータ記憶部４３がモジュール１１から外されることにより、データ記憶部４３に記憶されたデータを適切に外部に抽出することができる。
【００６８】
なお、上述した第１の実施形態においては、第２の実施形態のように、データ記憶部４３が、蓋体１３による開口部１２ａの閉塞が解除されて開口部１２ａが開放された状態でモジュール１１に対して着脱可能に構成されてもよい。
【００６９】
なお、以下には、上述した第１の実施形態に対する参考技術に係る電子機器について添付図面を参照しながら説明する。
この参考技術による電子機器１０と上述した第１の実施形態での電子機器１０との間で異なる点はモジュール１１の構成であり、具体的には、参考技術による電子機器１０では、外部アクセス部４２が省略されて、データ記憶部４３に記憶されているデータを無線通信により外部に送信可能な通信部４５を備えている。
【００７０】
この参考技術に係る電子機器１０は、例えば図１１，１２に示すように、表示部２１と、操作者により入力操作されるボタンなどからなる入力部２４と、回路基板３１に配置された発振部４１とデータ記憶部４３とＣＰＵ（中央処理装置）４４と、通信部４５となどを備えて構成されている。
通信部４５は、無線通信によって適宜の外部機器と通信可能であって、外部機器から送信される指令信号に応じて、データ記憶部４３に記憶されているデータを外部機器に送信する。
この通信部４５は、例えば図１１に示すように、データ記憶部４３とは独立に構成されていてもよいし、例えば図１２に示すように、予め通信部４５と一体に構成されていてもよい。
【符号の説明】
【００７１】
１０  電子機器
１１  モジュール
１２  筐体
１２ａ  開口部
１３  蓋体
３２  電池収容部材
３４ａ  電池
３５  保持部材
４２ａ  外部接続端子（外部接続部材）
４２ｂ  電圧印加端子（電圧印加部材）
４２ｃ  電源端子（電源供給部材）
４３  データ記憶部（データ記憶手段）
４４  ＣＰＵ（制御手段）
ステップＳ０３、ステップＳ１４  第１ステップ
ステップＳ０５、ステップＳ１５  第２ステップ
【図１】
2012038254.tif 000003
【図２】
2012038254.tif 000004
【図３】
2012038254.tif 000005
【図４】
2012038254.tif 000006
【図５】
2012038254.tif 000007
【図６】
2012038254.tif 000008
【図７】
2012038254.tif 000009
【図８】
2012038254.tif 000010
【図９】
2012038254.tif 000011
【図１０】
2012038254.tif 000012
【図１１】
2012038254.tif 000013
【図１２】
2012038254.tif 000014